(57)【要約】【課題】釣竿から離れた場所で、魚のアタリを見逃すことがないこと。又、アタリがあったとき、複数仕掛けた竿のうち、どの竿にアタリがあったか夜間でも目で確認して特定できるような装置、メンテナンスを考え、装置としては簡素に、電源箇所も最小限に抑えたい。風や波による誤報を無くしたい。【解決手段】ワイヤレスチャイムと照光付トグルスイッチの組合せで、離れた場所、及び、窓を閉め切った車輌内での睡眠中でも、チャイム音と光でアタリを知り、夜間でも竿に取り付けた照光付トグルスイッチが点灯しているので、アタリのあった竿が目で確認して特定できる。複数の釣竿を仕掛けても、ワイヤレスの場合、送信機、受信機が一組で足りるし、アタリの竿が特定できる。有線型報知器の装置も簡素に、電源箇所も最小限でメンテナンスも楽である。感度のテンション調整ができるので風や波による誤報が防げる。【選択図】                  図３
2004201559.tif 000002
【特許請求の範囲】
【請求項１】
リール及びリールガイドを装備した投げ釣り用の竿と組合せて使用する装置であって、
ワイヤレス報知器と、ＯＮ／ＯＦＦ切替えバーを備えたスイッチと、前記スイッチをＯＮ／ＯＦＦ切替えバーの動作方向を竿の長さ方向に向けて竿若しくは竿を固定するための装置に固定する取付手段とを備え、
前記スイッチは前記ワイヤレス報知器の発信機に接続され、リール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記ワイヤレス報知器を起動させることを特徴とするアタリを知らせる装置。
【請求項２】
リール及びリールガイドを装備した投げ釣り用の竿と組合せて使用する装置であって、
有線型報知器と、ＯＮ／ＯＦＦ切替えバーを備えたスイッチと、前記スイッチをＯＮ／ＯＦＦ切替えバーの動作方向を竿の長さ方向に向けて竿若しくは竿を固定するための装置に固定する取付手段と、を備え、
前記スイッチは前記有線型報知器のコードにより有線型報知器本体に接続され、リール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記有線型報知器を起動させることを特徴とするアタリを知らせる装置。
【請求項３】
リール及びリールガイドを装備した投げ釣り用の竿複数と組合せて使用する装置であって、
ＯＮ／ＯＦＦ切替えバーを備えたスイッチと、前記スイッチをＯＮ／ＯＦＦ切替えバーの動作方向を竿の長さ方向に向けて竿若しくは竿を固定するための装置に固定する取付手段と、表示灯との複数セットと、ワイヤレス報知器とを備え、
前記スイッチはそれぞれ前記ワイヤレス報知器の発信機に接続され、それぞれの竿のリール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記ワイヤレス報知器を起動させると共に前記表示灯を点灯させることを特徴とするアタリを知らせる装置。
【請求項４】
リール及びリールガイドを装備した投げ釣り用の竿複数と組合せて使用する装置であって、
ＯＮ／ＯＦＦ切替えバーを備えたスイッチと、前記スイッチをＯＮ／ＯＦＦ切替えバーの動作方向を竿の長さ方向に向けて竿若しくは竿を固定するための装置に固定する取付手段と、表示灯との複数セットと、有線型報知器とを備え、
前記スイッチは前記有線型報知器のコードにより有線型報知器本体に接続され、リール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記有線型報知器を起動させる共に前記表示灯を点灯させることを特徴とするアタリを知らせる装置。
【請求項５】
感度のテンションを変ることができるように前記スイッチのＯＮ／ＯＦＦ切替えバーに、釣り糸が引っ掛かる段差を複数設けたことを特徴とする請求項１、請求項２、請求項３、請求項４に記載のアタリを知らせる装置。
【請求項６】
感度のテンションを変ることができるように前記スイッチのＯＮ／ＯＦＦ切替えバーに、釣り糸を引っ掛る可動式のゴム輪を備えることを特徴とする請求項１、請求項２、請求項３、請求項４に記載のアタリを知らせる装置。
【発明の詳細な説明】
【０００１】
【発明の属する技術分野】
本発明は、魚釣りの最中であっても、離れた場所で魚のアタリを報知せめる装置に関するものである。
【０００２】
【従来の技術】
釣竿、釣り場の周辺では静寂を保ち、投げ釣り用の竿先に付けた鈴や発光体に神経を集中しなければならず、鈴音の聞こえる距離にも限度があり、揺れ動く発光体を見落とせば確認できない。
【０００３】
ヒットセンサーＸ−１（製品名）があるが、釣竿に付けたヒットセンサーＸ−１自体が号音を発するため周囲に迷惑がかかる。
【０００４】
三生工機（株）の製品で、ビッグハンＤ（投釣用）は、複数の仕掛けた竿にそれぞれ発信機を取り付けなければならず、各発信機及び、受信機に電源の確保が必要である。
【０００５】
【発明が解決しようとする課題】
従来の投げ釣りの方法は、釣竿、釣り場の周辺では静寂を保ち、投げ釣り用の竿先に付けた鈴や発光体に神経を集中しなければならず、鈴音の聞こえる距離にも限度があり、揺れ動く発光体を見落とせば確認できない。
本発明は、釣竿周辺より離れた場所で、談笑や食事をしたり、窓を閉め切った車輌内での睡眠時にも、魚のアタリを知ることができ、夜間、複数仕掛けた竿でもアタリのある竿が容易に特定できる装置を提供する。
この場合の離れた場所でアタリの確認できる距離は、釣り場によって異なるが、泳いでいる魚に悟られない位置、車輌の近づける位置、他の釣り人に迷惑のかからない位置からすれば、３０メートル位と思われる。この遠く離れた距離を克服することが可能である。
魚の大小、アタリの強弱、風、波の強さによって、釣り糸の引きの強さが左右されるから、感度のテンションを変える必要がある、それは、風も波もない天候であれば、魚のアタリ、引き具合だけに対して反応すればよいのだが、風や波があれば、釣り糸が風や波によって引っ張られたり竿先が揺らされるから、風や波に反応しない様、感度のテンション調整が必要となる。そこで、この発明は感度のテンション調整を可能とする。
複数の投げ釣り用の竿にそれぞれに表示灯を有して、アタリのある竿を特定出来て、しかも、ワイヤレス報知器の場合、発信機と、受信機を一組で足りる様にし、電源箇所も最小限にする。又、有線型報知器の場合も軽便に、電源箇所も最小限にする。
【０００６】
【課題を解決するための手段】
本発明のアタリを知らせる装置は、リール及びリールガイドを装備した投げ釣り用の竿、若しくは、前記の竿を固定するための装置と組合せて使用する装置であって、ワイヤレス報知器の発信機とＯＮ／ＯＦＦ切替えバーを備えたスイッチを組み合わせ、前記スイッチをＯＮ／ＯＦＦ切替えバーの動作方向を竿の長さ方向に向けて、竿に固定する取付手段とを備えたもので取り付け、前記スイッチはリール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記ワイヤレス報知器を起動させることを特徴とするアタリを知らせる装置である。
上記の装置によれば、投げ釣り用の竿のリールから出た釣り糸、若しくは、投げ釣り用の竿のリールガイドから出た釣り糸をＯＮ／ＯＦＦ切替えバーに引っ掛けられて、魚のアタリにより釣り糸が竿先方向へ引っ張られ、スイッチのＯＮ／ＯＦＦ切替えバーが竿先に向かって傾いたときスイッチはＯＮ状態になり、ワイヤレス報知器の発信機がＯＮになり、釣り竿から離れた場所でも、受信機が報知して、釣り人に魚のアタリを知らせることができる。
投げ釣り用の竿、若しくは、竿を固定するための装置に固定する取付手段を備えたものによってスイッチを、複数の投げ釣り用の竿、若しくは、竿を固定するための装置にそれぞれ取り付け、それらのスイッチに、請求項１のワイヤレス報知器の発信機と組合せ、複数の投げ釣り用のどの竿にアタリがあったかを示す表示灯をそれぞれのスイッチと組合す、どの竿にアタリがあっても、前記ワイヤレス報知器の発信機がＯＮになり、釣り竿から離れた場所で、前記ワイヤレス報知器の受信機を起動させて、釣り人に魚のアタリを知らせることができる。
それぞれのスイッチと表示灯を組み合わせるが、ワイヤレス報知器の発信機と、受信機を一組で足りる様に、組み合わせる。それぞれのスイッチと組み合わせた表示灯の電源は、発信機の電源を共用する。
他の構成として、リール、及び、リールガイドを装備した投げ釣り用の竿、若しくは、前記の竿を固定するための装置と組合せて使用する装置であって、仕掛けた釣り竿と離れた場所までの間をコードを用い、離れた場所のコードの一端に有線型報知器の本体を接続、竿側にはＯＮ／ＯＦＦ切替えバーを備えたスイッチを接続、前記スイッチをＯＮ／ＯＦＦ切替えバーの動作方向を竿の長さ方向に向けて、竿に固定する取付手段を備えたもので取り付け、前記スイッチはリール又はリールガイドから出た釣り糸がＯＮ／ＯＦＦ切替えバーに引っ掛けられて、魚のアタリにより釣り糸が竿先方向に引っ張られ、ＯＦＦ状態からＯＮ状態になって前記有線型報知器を起動させることを特徴としてアタリを知らせることができる。
複数の投げ釣り用の竿、若しくは、竿を固定するための装置にそれぞれ取り付け、どの竿にアタリがあったかを示す表示灯をそれぞれのスイッチに接続、どの竿にアタリがあっても、接続しておいた前記有線型報知器が起動して、釣り人に魚のアタリを知らせる装置。  投げ釣り用の竿、若しくは、竿を固定するための装置に固定する取付手段を備えたものによってスイッチを、複数の投げ釣り用の竿又は竿を固定するための装置にそれぞれ取り付け、複数の投げ釣り用の竿のどの竿にアタリがあったかを示す表示灯をそれぞれのスイッチと組合す、どの竿にアタリがあっても、前記の釣り竿から離れた場所で接続しておいた前記有線型報知器が起動して、釣り人に魚のアタリを知らせることができる。複数のそれぞれのスイッチと表示灯、そして有線型報知器を組み合わせるが、前記有線型報知器が一台で足りる様組み合わせる。それぞれのスイッチと組み合わせた表示灯の電源は、有線型報知器の電源を共用するか、若しくは、一箇所のみ設けて解決する。
魚の大小、アタリの強弱、風、波の強さによって感度のテンションを変えるための、前記記載のスイッチのＯＮ／ＯＦＦ切り替えバーに、釣り糸が引っ掛かる段差を必要数設けた前記切り替えバーにする。又、他の構成として、前記切り替えバーに、釣り糸を引っ掛けて調節できる様、可動式のゴム輪を装着して感度のテンションを調節する。
【０００７】
【発明実施の形態】
使用しようとするワイヤレス報知器は、市販されている玄関用ワイヤレスチャイム、介護用ワイヤレスチャイム、防犯用ワイヤレスチャイムなどが利用できる。これらの発信機のスイッチとなる形式は特に選ばない、なぜなら前記スイッチ部及び電源部からコードによって引っ張り出す。これらの既存のスイッチはアタリを知らせる装置完成後にテストスイッチとして使うからである。受信機は、チャイムやブザーで知らせるもの、ミュージックで知らせるもの、連続的なもの、断続的なもの、そして、連続点灯や、点滅光などの加わったものまでさまざまなものがあるがこれらのものは全て使用できる。
有線型報知器は、市販されている玄関用チャイム、介護用チャイム、防犯用チャイムなどが利用できる。チャイムやブザーで知らせるもの、ミュージックで知らせるもの、連続的なもの、断続的なもの、そして、連続点灯や、点滅光などの加わったものまでさまざまなものがあるがこれらのものは全て使用できる。
釣り糸を引っ掛けるスイッチには、ＯＮ／ＯＦＦ切り替えバー又はＯＮ／ＯＮ切り替えバーを備えたトグルスイッチや、ＯＮ／ＯＦＦ切り替えバー又はＯＮ／ＯＮ切り替えバーを備えたスナップスイッチを利用する。又トグルスイッチやスナップスイッチに表示灯となる照光部を内蔵しているものも利用できる。
照光部が別付けで利用する場合は、電球、発光ダイオード、蛍光管、など携行できる電源と組合せて使用できる発光体なら何でも利用できる。又、車輌搭載のカーバッテリー対応の発光体も利用できる。
電源は、単一、単二、単三、単四、単五乾電池は、もとより、００６Ｐ９Ｖ電池、アルカリ１２Ｖ乾電池、ボタン電池、リチウム電池、充電式電池、車輌搭載用カーバッテリーなどと、発信機の機能及び表示灯との相性さえ合えば何でも利用できる。又、前記の電源と受信機の機能との相性が合えば何でも利用できる。すなわち、発信機、受信機、表示灯の特性や効果が発揮できるものであれば、電源は選ばない。
使用するコードは、２芯コードで足りる部分もあるが、３芯以上のコードを必要とする。この場合、２芯以上のシールドコード、リッツコード、多芯コード、電話回線用コード、コンピュータ用ランケーブルなどが使える。
スイッチ部及び発信機と、コードとの接続や切り離しが容易にできるようにするための物として、２極で足りる部分もあるが、３極以上必要となってくるから、ステレオ用ピンプラグ＆ジャック、アース端子付プラグ＆コンセント、車輌配線用３極以上のプラグ＆ジャック、電話コード用プラグ＆ジャック、ランケーブル用プラグ＆ジャック、が利用できる。３極備えたプラグ＆ジャックであり、且つプラグ＆ジャックの何れかが埋め込み固定できるものでも利用できる。
スイッチ部を竿に取り付ける装置として、クリップ様のハサミで竿又は竿立てや竿受けを挟み込むためにバネを利用したもの、蝶番の付いた半円形の端どうしをネジ状のもので締め付けるもの、ゴムバンドで締め付け固定するものなど利用できる。
感度のテンションを変える方法に、スイッチの切り替えバーの下部に釣り糸が引っ掛かる段差を設ける。スイッチのバーがバーを軸として回転するのであればバーを軸とするバーの円周に釣り糸が引っ掛かる段差を設ける。スイッチのバーの代わりに穴を設けるか又は穴にネジの溝を切って、ピン様のものを差し込む又はねじをねじ込んで、釣り糸が引っ掛かる様にする。スイッチのバーにバーの長さ方向に可動できるゴム輪を装着し釣り糸が引っ掛かけられ無段階に感度のテンションが変えられるようにする。前記のゴム輪に代えてクリップ様のものをバーにハサミ釣り糸が引っ掛かる様にする。
【０００８】
【実施例】
発信機は押しボタン式、受信機は、チャイム音が数秒間隔で断続的に鳴り、点滅光が連続的に光る玄関用ワイヤレスチャイムを利用した。もちろん押しボタン式チャイムだから一度押せば、１０秒くらいで切れる。しかし、この発明に使った照光付トグルスイッチは、バーによるＯＮ／ＯＦＦ切り替え式、ＯＮ状態で連続通電だから、チャイム音は断続的とはいえ鳴りっぱなし、点滅光は結構強い赤色光、釣り竿に付ける照光付トグルスイッチをＯＦＦ状態にしない限り、鳴りっぱなしの光りっぱなしとなる。だから、談笑中や睡眠中でも威力を発揮する。照光付トグルスイッチを選んだわけは、スイッチのＯＮ／ＯＦＦ切り替えバーがＯＮ方向、ＯＦＦ方向に倒れる形式と、前記のバーは結構長く先に表示灯として使えるランプが内蔵され一体となっている。受信機の内臓電源は単二乾電池２個、発信機の内臓電源はアルカリ乾電池１２Ｖ１個、トグルスイッチの照光部のランプに必要な電圧が、１２Ｖ。照光部のランプを灯す電源を発信機の電源を利用共用した。発信機の電源部と、押しボタンスイッチ部から３芯コードで引き出し照光付トグルスイッチと組み合わせ接続した。その組合せと接続回路を  図１、図２で示す。発信機Ｂの押しボタンスイッチＢｃは、テスト用スイッチとして使える。照光付トグルスイッチを投げ釣り用の竿に装着する手段として、投げ釣り用の竿を上手く挟み込むクリップ様のハサミを台座とし、照光付トグルスイッチを乗せて固定し、投げ釣り用の竿に装着する。
尚、この玄関用ワイヤレスチャイムの機能は、障害物の無い見通しの良い場所であれば、５０メートル電波が到達する。又、１６種類の周波数が選べる。
他の釣り人が仕掛けたその釣り場の周辺半径５０メートル以内で前記玄関用ワイヤレスチャイムを使ったアタリを知らせる装置を使ったり、前記玄関用ワイヤレスチャイムの使用している住宅があっても、電波到達距離が５０メートル以内であることと、１６種類の周波数が選べるので混信は防げる。投げ釣りの魚釣りとしては、充分威力を発揮する。
【０００９】
このアタリを知らせる装置は、リール、及び、リールガイドを装備した投げ釣り用の竿と、若しくは、前記の竿を固定するための装置と組合わせて使用する。竿を固定するための装置とは俗に言う竿立てや、竿受けのことである。
投げ釣り用竿を１本だけ仕掛けるのであれば、アタリを知らせるチャイム音だけでもことは足りる。照光部の点灯の必要はないが、投げ釣りの場合は投げ釣り竿を複数本仕掛けてアタリを待つのが通例である。特に夜間であれば複数本仕掛けたどの竿にアタリが来たか確認できない。よってアタリの竿が目で特定確認できるように照光部を表示灯として利用する。
【００１０】
仕掛ける竿の本数は、当然釣り人によって異なるが、基本となる形態を決めて、基本を超える仕掛ける竿の本数分を増設として扱う。
基本の仕掛ける竿の本数を４本として、当然一組のワイヤレスチャイムと４個の照光付トグルスイッチがいる。その組合せを  図３で示す。Ｓ１、Ｓ２、Ｓ３、Ｓ４は投げ釣り用の竿を、Ａ１、Ａ２、Ａ３、Ａ４、は照光付トグルスイッチを、Ｂ及びＣは、ワイヤレスチャイムを示す。Ｗは、離れた場所に駐車中の車輌を示す。
照光付トグルスイッチＡ１と発信機Ｂの間にステレオ用ピンプラグＤ１とピンジャックＤ２を設ける。又、照光付トグルスイッチＡ１にステレオ用ピンジャックｄ１を設け、照光付トグルスイッチＡ２、Ａ３、Ａ４にそれぞれステレオ用ピンプラグｄ２、ｄ３、ｄ４を設ける。竿間のコードＥ１においてｄ１と接続するｅ１にステレオ用ピンプラグを設け、ｅ２，ｅ３，ｅ４にステレオ用ピンジャックを、そして最後尾にピンジャックＦ１を設ける。この回路図を  図４で示す。それぞれの照光付トグルスイッチの照光部の電源は、発信機Ｂの電源を共用する。
Ｅ１において竿間コードの長さは、投げ釣りの状況からすればそれぞれ３メートルが適当である。又、それぞれの照光付トグルスイッチに、ステレオ用ピンジャック、ピンプラグとＥ１のコードにステレオ用ピンプラグ、ピンジャックを設けたわけは、照光付トグルスイッチとコードＥ１が切り離しできるから、操作性すなわち、これから釣ろうと仕掛けを用意スタンバイするときや、釣り終わって片付けのときに迅速に且つ、楽に行えるからであり、収納性にも優れるからである。
Ｓ１の竿に魚のアタリがあり、Ａ１のスイッチがＯＮの状態になると、Ａ１の表示灯が点灯すると同時に、発信機の発信回路から受信機  図３のＣに送信、受信機に設けられた表示灯とスピーカーから点滅光とチャイム音で釣り人に知らせる。魚がＳ２の竿に掛かった時は、Ａ２の表示灯のみが点灯し、同時に受信機は、光と音で知らせる。このとき釣り人は、Ａ２の表示灯が点灯しているので、Ｓ２の竿に魚のアタリがあったことを夜間でも確認できる。Ｓ３、Ｓ４の竿についても同様にアタリの竿の確認ができる。
【００１１】
釣り人の投げ釣りで仕掛ける竿の数は自由であるからして、００１０で示した４本に限らず、何本でも増える可能性がある。そこで、図５の増設用を用意する必要がある。
図５のステレオ用ピンプラグＦ２は、図３のＦ１に増設接続できる。最後尾のＦ３にステレオ用ピンジャックを設けることにより、図５の増設用と同様のものをいくつでも増設接続できる。この増設用の回路を、図６で示す。
図５の照光付トグルスイッチＡ５、Ａ６を含むＳ５、Ｓ６の機能は  ００１０で示したと同様であるからして、増設しても電源を用意する必要がない。
【００１２】
図３で示した発信機、受信機の装置の代わりに、有線型報知器を使用することもできる。
図４のステレオ用ピンプラグＤ１にステレオ用ピンジャックＤ３を設けた有線型報知器Ｇの接続を、図７で示す。有線型報知器Ｇは電池内臓型。この場合照光付トグルスイッチＡ１の照光部に供給する電源の電圧が前記有線型報知器Ｇ内臓の電源の電圧が一致すれば良いが、違えば  図８の通り別の電池Ｈが必要となる。図８のＨの位置は、ステレオ用ピンジャックＤ３の傍でも、有線型報知器Ｇの傍でも良い。前者のステレオ用ピンジャックＤ３の傍であれば、離れた場所まで（図８のＤ３からＧ）のコードは２芯で足りる。より軽便にする効果がある。
【００１３】
魚の大小、アタリの強弱、風、波の強さによって、アタリや感度のテンション調節が必要になるので、照光付トグルスイッチの  ＯＮ／ＯＦＦ切り替えバーに、図９のＸ１、Ｘ２、Ｘ３の通り、釣り糸が引っ掛かる様に段差を設け、テコの原理を利用して、Ｘ１を弱いテンション、Ｘ２を中位のテンション、Ｘ３を強いテンションとし、釣り糸を引っ掛ける。この段差の代わりに、ＯＮ／ＯＦＦ切り替えバーに、図１０で示す通り、前後移動できるゴム輪を取り付けてアタリや感度のテンション調節ができる。Ｙ１を弱いテンション、Ｙ２を中位のテンション、Ｙ３を強いテンションとして釣り糸を引っ掛ける。
【００１４】
図１の照光付トグルスイッチＡ１の代わりにスイッチと別付けの表示灯でもできる。この場合、表示灯に供給する電源は表示灯に合えば何でも良い。そのときの回路を  図１４で示す。Ｉが別付け表示灯、Ｊがスイッチ、Ｋが別付け表示灯用電源を示す。別付け表示灯に供給する電源の電圧が送信機Ｂの電池の電圧と一致すれば、図１５で示すとおり送信機Ｂの電池を共用することができる。
【００１５】
釣竿、リール、及び、釣り糸と、照光付トグルスイッチの位置関係を、図１１、図１２で示す。
図１１は、投げ釣り用竿Ｓ２のリールＴの後ろに、クリップ様ハサミに取り付けた照光付トグルスイッチＡ２の位置を示す。リールから出た釣り糸Ｕ２をＯＮ／ＯＦＦ切替えバーの適度な感度のテンション位置に、引っ掛ける。
図１２は、投げ釣り用竿のリールガイドＶの後ろに、クリップ様ハサミに取り付けた照光付トグルスイッチＡ２の位置を示す。リールガイドから出た釣り糸Ｕ３をＯＮ／ＯＦＦ切替えバーの適度な感度のテンション位置に、引っ掛ける。図１１、図１２では、スピニングリールを表しているが、あらゆるリールに対応できる。
クリップ様ハサミに取り付けた照光付トグルスイッチＡ２の具体的な取り付け位置はリールＴ又はリールガイドＶの後ろであり、リールＴから出た釣り糸と照光付トグルスイッチに引っ掛けたのち竿先に向かう釣り糸とが鋭い鋭角になる様な位置に取り付けるのが良い。リールから離し過ぎると、アタリがあって釣り糸が照光付トグルスイッチＡ２から外れたときに糸のたるみが大きすぎて合せが難しいのでリールの位置から１５ｃｍから２０ｃｍが適当である。又、リールガイドＶから出た釣り糸と照光付トグルスイッチに引っ掛けたのち竿先に向かう釣り糸とが鋭い鋭角になる様な位置に取り付けるのが良い。リールガイドＶから離し過ぎると、アタリがあって釣り糸が照光付トグルスイッチＡ２から外れたときに糸のたるみが大きすぎて合せが難しいのでリールガイドＶの位置から１５ｃｍが適当である。
図１３で、魚のアタリにより釣り糸Ｕ１が引っ張られたとき、当然竿先Ｐが竿先Ｑへしなるが、それより大きい引きがあったときには、照光付トグルスイッチＡ２が、ＯＦＦ状態から、ＯＮ状態になり、照光付トグルスイッチＡ２に引っ掛けた釣り糸が外れ、同時にトグルスイッチの表示灯は点灯、図３の発信機Ｂより図３の受信機Ｃへ、受信機側の点滅表示灯が点灯、及び、チャイム音が出て、釣り人に知らせる。
竿先Ｑのしなりを引っ張る力が越えたとき、照光付トグルスイッチＡ２のＯＮ／ＯＦＦ切り替えバーが、竿先方向へ倒れ、釣り糸Ｕ２が外れ、緩んだ釣り糸Ｕ１により、竿先Ｑは竿先Ｐ方向へ戻ろうとする。その時、釣り竿のしなりの硬さ、アタリの魚の引き具合、アタリの魚が針をくわえて移動する速さ、そして竿自身がしなりから反動で戻ろうとする力、これらのそれぞれの動きや力が一致したときに、魚に合わせの行為を、竿先自身が行ってくれる。すなわち、釣り糸Ｕ２が照光付トグルスイッチＡ２から、ＯＮ状態で外れるときには、アタリと同時に合わせも、竿自身が行ってくれると考えられるときがある。
【００１６】
【発明の効果】
以上説明したように、本発明装置によれば、釣り人が釣竿から必要に応じ、離れた場所へ行かなければならないときや、窓を閉め切った車輌内に居場所を求めたときに、アタリのチャンスを見逃すことなく、釣りを楽しむことができる。しかも、表示灯を備える構成にすれば、投げ釣り用の竿が複数あってもアタリの竿を暗闇でも表示灯の点灯により、目で確認して特定できる。
複数の竿に対応する構成では、ワイヤレスの場合、送信機と発信機が一組で足りること、スイッチと接続された表示灯の数に関係なく表示灯の電源は、送信機に内蔵された電源を共用するので軽便に、しかもメンテナンスも楽である。有線型報知器の場合でも、最小限の箇所からの電源供給であるから、軽便で、メンテナンスも楽である。
感度のテンション調整ができるため、風や波による誤報が少ない。
【図面の簡単な説明】
【図１】基本的な組合せを示した図である。
【図２】基本的な組合せの回路を示した図である。
【図３】仕掛けた釣竿とアタリを知らせる装置を装着した全体のイメージ図である。
【図４】図３の回路を示した図である。
【図５】増設する装置を示したイメージ図である。
【図６】増設する装置の回路を示した図である
【図７】ワイヤレスチャイムに代えて有線型報知器にした時の回路を示した図である。
【図８】図７の電源部をＤ３のピンジャックそばに取り付けた時の回路を示した図である。
【図９】スイッチのバーに釣り糸を引っ掛ける段差を示した図である。
【図１０】スイッチのバーに釣り糸を引っ掛ける可動式ゴム輪の装着を示した図である。
【図１１】装置をリールの後ろに装着した図である。
【図１２】装置をリールガイドの後ろに装着した図である。
【図１３】アタリがあってからの働きを示した図である。
【図１４】別付け表示灯とスイッチを使用した時の回路を示した図である。
【図１５】別付け表示灯とスイッチを使用し表示灯の電源として発信機内臓の電池を共用した時の回路を示した図である。
【符号の説明】
Ａ１  照光付トグルスイッチ
Ａ２  照光付トグルスイッチ
Ａ３  照光付トグルスイッチ
Ａ４  照光付トグルスイッチ
Ａ５  照光付トグルスイッチ
Ａ６  照光付トグルスイッチ
Ａａ  照光部表示灯
Ｂ    発信機
Ｂａ  発信回路
Ｂｂ  パイロットランプ
Ｂｃ  テスト用押ボタンスイッチ
Ｃ    受信機
Ｄ１  ステレオ用ピンプラグ
Ｄ２  ステレオ用ピンジャック
ｄ１  ステレオ用ピンジャック
ｄ２  ステレオ用ピンプラグ
ｄ３  ステレオ用ピンプラグ
ｄ４  ステレオ用ピンプラグ
ｄ５  ステレオ用ピンプラグ
ｄ６  ステレオ用ピンプラグ
ｅ１  ステレオ用ピンプラグ
ｅ２  ステレオ用ピンジャック
ｅ３  ステレオ用ピンジャック
ｅ４  ステレオ用ピンジャック
ｅ５  ステレオ用ピンジャック
ｅ６  ステレオ用ピンジャック
Ｅ１  基本装置の竿間の接続コード
Ｅ２  増設装置の竿間の接続コード
Ｆ１  被増設用ステレオ用ピンジャック
Ｆ２  増設用ステレオ用ピンプラグ
Ｆ３  被増設用ステレオ用ピンジャック
Ｇ    有線型報知器
Ｈ    照光部表示灯用電源
Ｉ    スイッチに内蔵されていない表示灯
Ｊ    表示灯を内蔵しないスイッチ
Ｌ    報知音起動回路
Ｍ    有線型報知器内臓電源
Ｎ    報知音スピーカー
Ｐ    アタリを待つ竿先の位置
Ｑ    アタリがあってしなった竿先の位置
Ｓ１  投げ釣り用竿
Ｓ２  投げ釣り用竿
Ｓ３  投げ釣り用竿
Ｓ４  投げ釣り用竿
Ｓ５  投げ釣り用竿
Ｓ６  投げ釣り用竿
Ｔ    リール
Ｕ１  釣り糸
Ｕ２  リールから出た釣り糸
Ｕ３  リールガイドから出た釣り糸
Ｖ    リールガイド
Ｗ    離れた場所に駐車中の車輌
Ｘ１  段差による弱いテンション位置
Ｘ２  段差による中位のテンション位置
Ｘ３  段差による強いテンション位置
Ｙ１  ゴム輪による弱いテンション位置
Ｙ２  ゴム輪による中位のテンション位置
Ｙ３  ゴム輪による強いテンション位置
【図１】
2004201559.tif 000003
【図２】
2004201559.tif 000004
【図３】
2004201559.tif 000005
【図４】
2004201559.tif 000006
【図５】
2004201559.tif 000007
【図６】
2004201559.tif 000008
【図７】
2004201559.tif 000009
【図８】
2004201559.tif 000010
【図９】
2004201559.tif 000011
【図１０】
2004201559.tif 000012
【図１１】
2004201559.tif 000013
【図１２】
2004201559.tif 000014
【図１３】
2004201559.tif 000015
【図１４】
2004201559.tif 000016
【図１５】
2004201559.tif 000017